(57)【要約】  【課題】用紙搬送装置内の電線部材を保護する。  【解決手段】用紙を搬送するレジストローラ１５１と、レジストローラ１５１のローラ軸１５１ａを軸として回動可能な、用紙の搬送路を形成する搬送ガイド板１５４と、搬送ガイド板１５４に設けられたセンサ１５７に接続され、ローラ軸１５１ａの周辺を通って所定の場所に配線される線材１５８とを有する用紙搬送装置１における配線の保護機構１０であって、ローラ軸１５１ａと線材１５８との間に設けられた内殻部１２と、外殻部１１とを備えた。【選択図】図１
2010066734.tif 000002
【特許請求の範囲】
【請求項１】
用紙を搬送する搬送ローラと、前記搬送ローラのローラ軸を軸として回動可能な、前記用紙の搬送路を形成するガイド板と、前記ガイド板に設けられた電気部品に接続され、前記ローラ軸の周辺を通って所定の場所に配線される電線部材とを有する用紙搬送装置における電線部材の保護機構であって、
前記ローラ軸と前記電線部材との間に設けられた遮蔽部材を備えた、電線部材の保護機構。
【請求項２】
前記遮蔽部材は、前記ローラ軸の同心円上に配置された第１の円弧状部材である、請求項１に記載の電線部材の保護機構。
【請求項３】
前記第１の円弧部材に対向して、前記ローラ軸の同心円上に配置された第２の円弧状部材を備えた、請求項２に記載の電線部材の保護機構。
【請求項４】
前記遮蔽部材に前記電線部材が固定されている、請求項１に記載の電線部材の保護機構。
【請求項５】
用紙を搬送する搬送ローラと、
前記搬送ローラのローラ軸を軸として回動可能な、前記用紙の搬送路を形成するガイド板と、
前記ガイド板に設けられた電気部品に接続され、前記ローラ軸の周辺を通って所定の場所に配線される電線部材と、
前記電線部材を保護する、請求項１に記載の電線部材の保護機構とを備えた用紙搬送装置。
【請求項６】
給紙部と、
前記給紙部から給紙される用紙に対し画像形成を行う画像形成部と、
前記給紙部と前記画像形成部との間、前記用紙の搬送方向からみて前記画像形成部の下流、又は前記搬送方向からみて前記給紙部の上流のいずれかに配置された用紙搬送部とを備え、
請求項５に記載の用紙搬送装置を前記用紙搬送部として内蔵した画像形成装置。
【発明の詳細な説明】
【技術分野】
【０００１】
本発明は、複写機、プリンタ、ＦＡＸ等の画像形成装置等において利用される用紙搬送装置に内蔵される電線部材の保護機構それを用いた用紙搬送装置、画像形成装置に関する。
【背景技術】
【０００２】
従来より複写機やプリンタ等の画像形成装置においては、その内部において画像形成の前後で用紙を搬送する用紙搬送装置が内蔵されている。図９は、そのような画像形成装置の模式的構成図である。
【０００３】
図９に示すように、画像形成装置１００は、画像をトナー像として生成し、手差しトレイ１１０又は給紙装置１２０から供給された用紙上に形成させる画像形成部１３０、及び用紙上のトナー像を定着して印刷物とする画像定着部１４０を備えている。
【０００４】
又、画像形成部１３０等の下部には複数の給紙装置１２０が積層して備えられており、それぞれの給紙装置１２０から搬出された用紙は、共通の搬送路を通って画像形成部１３０へ搬入される。
【０００５】
以上のような画像形成装置においては、給紙装置１２０、画像形成部１３０、及び画像定着部１４０の各部の間にも搬送ローラによる搬送経路が形成され、画像形成前から画像形成後まで用紙を搬送している。一例として、画像形成部１３０の上流側に設けられた用紙搬送装置１５０（図９中破線で囲んだ部分）は、画像形成部１３０内の感光体ドラム１３１に対して用紙を精度よく搬送するためのレジストローラを備えている。
【０００６】
図１０は、用紙搬送装置１５０の側面を模式的に示す図である。図１０に示すように、用紙搬送装置１５０は、一対のレジストローラ１５１及び１５２、レジストローラ１５１及び１５２を収納するフレーム１５３、及び搬送ガイド板１５４を主要部として構成される。
【０００７】
レジストローラ１５１及び１５２はフレーム１５３の左右側板に回転可能に固定され、図示しない外部駆動力により回転する。ローラ軸１５２ａがスプリング１５５により付勢されることで、レジストローラ１５２はレジストローラ１５１に所定のニップ圧で押圧している。
【０００８】
又、搬送ガイド板１５４は、レジストローラ１５１のローラ軸１５１ａと同軸で図中白抜き矢印Ａの向きに回動可能な板状部材であり、給紙装置１２０から搬入される用紙をレジストローラ１５１及び１５２のニップに導くための搬入口１５６を形成している。更に、搬送ガイド板１５４上には、用紙の搬送方向の下流に設けられた画像形成部１３０が用紙の搬入されるタイミングを検知するための、例えば反射型センサとして実現されるセンサ１５７が設けられている。
【０００９】
このような構成とすることにより、図１０に示すように、用紙搬送装置１５０に導かれた用紙は、搬入口１５６からレジストローラ１５１及び１５２に導かれ、図中矢印Ａに沿って画像形成部１３０へ搬出される。
【発明の開示】
【発明が解決しようとする課題】
【００１０】
しかしながら、上記の従来の用紙搬送装置においては、以下のような課題があった。
【００１１】
図１１の上面図に示すように、センサ１５７は各種寸法の用紙を検知するために、搬送ガイド板１５４の比較的中央寄りに配置される。センサ１５７に接続された線材１５８は、留め具１５８ａにより当該搬送ガイド板１５４上に引き回された状態で固定され、その端部はフレーム１５３を介して外部に引き出され、電源、その他の制御装置に接続されることになる。
【００１２】
このとき、図１１の拡大部分Ｃに対応する図１２の要部拡大図に示すように、線材１５８はレジストローラ１５１の端部に回り込み、ローラ軸１５０ａの周囲を巻くように引き回された後に、フレーム１５３ａに開口された孔を介して外部へ引き出される。
【００１３】
一方、搬送ガイド板１５４は、用紙詰まり（ジャム）が生じた際に、詰まった用紙を取り除くことができるように、搬入口１５６を大きく開口する目的で回動される場合がある。この搬送ガイド板１５４の回動により、レジストローラ１５１の端部に配置された線材１５８が移動し、回転するローラ軸１５１ａに接触したり、板金加工により形成されるフレーム１５３の縁に接触する恐れがある。これらの接触は、線材１５８の被覆を損傷させ、断線等の原因となってしまう。
【００１４】
本発明はこのような課題に鑑みてなされたものであり、用紙搬送装置内の電線部材を保護することができる電線部材の保護機構、及びそれを用いた用紙搬送装置、画像形成装置を提供することを目的とする。
【課題を解決するための手段】
【００１５】
上記の目的を達成するために、第１の本発明は、用紙を搬送する搬送ローラと、前記搬送ローラのローラ軸を軸として回動可能な、前記用紙の搬送路を形成するガイド板と、前記ガイド板に設けられた電気部品に接続され、前記ローラ軸の周辺を通って所定の場所に配線される電線部材とを有する用紙搬送装置における電線部材の保護機構であって、
前記ローラ軸と前記電線部材との間に設けられた遮蔽部材を備えた、電線部材の保護機構である。
【００１６】
又、第２の本発明は、前記遮蔽部材は、前記ローラ軸の同心円上に配置された第１の円弧状部材である、第１の本発明の電線部材の保護機構である。
【００１７】
又、第３の本発明は、前記第１の円弧部材に対向して、前記ローラ軸の同心円上に配置された第２の円弧状部材を備えた、第２の本発明の電線部材の保護機構である。
【００１８】
又、第４の本発明は、前記遮蔽部材に前記電線部材が固定されている、第１の本発明の電線部材の保護機構である。
【００１９】
又、第５の本発明は、用紙を搬送する搬送ローラと、
前記搬送ローラのローラ軸を軸として回動可能な、前記用紙の搬送路を形成するガイド板と、
前記ガイド板に設けられた電気部品に接続され、前記ローラ軸の周辺を通って所定の場所に配線される電線部材と、
前記電線部材を保護する、第１の本発明の電線部材の保護機構とを備えた用紙搬送装置である。
【００２０】
又、第６の本発明は、給紙部と、
前記給紙部から給紙される用紙に対し画像形成を行う画像形成部と、
前記給紙部と前記画像形成部との間、前記用紙の搬送方向からみて前記画像形成部の下流、又は前記搬送方向からみて前記給紙部の上流のいずれかに配置された用紙搬送部とを備え、
第５の本発明の用紙搬送装置を前記用紙搬送部として内蔵した画像形成装置である。
【発明の効果】
【００２１】
以上のような本発明によれば、用紙搬送装置内の電線部材を保護することができる電線部材の保護機構、及びそれを用いた用紙搬送装置、画像形成装置を提供することができる。
【発明を実施するための最良の形態】
【００２２】
以下、本発明の実施の形態を、図面を参照して説明する。
【００２３】
図１は、本発明の一実施の形態による配線の保護機構を内蔵した用紙搬送装置の側面図であり、図２は要部を示す部分透視図である。ただし、図１及び図２において、図９に示す従来例と同一又は相当部には、同一符号を付し、詳細な説明は省略する。
【００２４】
図１及び図２に示すように、本実施の形態の用紙搬送装置１は、レジストローラ１５１の端部に設けられた配線の保護機構１０を備え、ローラ軸１５１ａの周囲に引き回される線材１５８と、ローラ軸１５１ａ又はフレーム１５３の端面との接触を防ぐようにしたことを特徴とする。
【００２５】
図３は、配線の保護機構１０単体の斜視図である。図３に示すように、線材の保護機構１０は、例えば樹脂材料により一体的に成型された、円弧状の壁面を有する外殻部１１及び外殻部１１の内側に設けられたＵ字状の内殻部１２とを備える。
【００２６】
外殻部１１と内殻部１２とは、梁部１３ａによって接続されており、これにより外殻部１１の内壁及び内殻部１２の外壁は間隙１３を形成している。又、内殻部１２の両端は平行に延伸し、端部に係止爪１２ａを有する。図１に示すように、係止爪１２ａは搬送ガイド板１５４の底面に設けられた孔部１５４ａに挿入され、樹脂材料の弾性によって孔部１５４ａに係合される。これにより配線の保護機構１０は搬送ガイド板１５４に固定される。
【００２７】
以上の構成において、配線の保護機構１０は本発明の電線部材の保護機構に相当し、内殻部１２は本発明の遮蔽部材の第１の円弧状部材に相当する。又、外殻部１１は本発明の遮蔽部材の第２の円弧状部材に相当する。又、搬送ガイド板１５４は本発明のガイド板に相当し、レジストローラ１５１は本発明の搬送ローラに、又、ローラ軸１５１ａは本発明のローラ軸に相当する。又、線材１５８は本発明の電線部材に相当し、センサ１５７は本発明の電気部品に相当する。又、センサ１５７が接続される、図示しない電源、その他の制御装置は、本発明の所定の場所に相当する。
【００２８】
このような構成を有する本実施の形態の配線の保護機構１０は、図１及び図２に示すように、外殻部１１と内殻部１２との間隙１３に線材１５８を収納した状態で、レジストローラ１５１の端部に固定されている。ローラ軸１５１ａと線材１５８との間には、内殻部１２の壁面が存在することにより、ローラ軸１５１ａの表面が線材１５８に接触することはない。
【００２９】
更に、外殻部１１が線材１５８の更に外側に設けられていることで、以下のような効果を奏する。
【００３０】
図４に示すように、内殻部１２及び外殻部１１の円弧形状がローラ軸１５１ａの同心円上に形成されることで、間隙１３も又、ローラ軸１５１ａに対して同心円をなす円弧形状を有する。したがって、間隙１３内においては、線材１５８も、ローラ軸１５１ａに対して同心円をなす円弧形状をなすように配置される。
【００３１】
背景技術の項で述べたように、搬送ガイド板１５４はジャム処理等の目的によって開閉される構成となっている（搬送ガイド板１５４が閉じた状態は従来例の図１の状態であり、搬送ガイド板１５４が開いた状態は従来例の図１０の状態である）。開閉の際には搬送ガイド板１５４はローラ軸１５１ａを軸として回動するが、配線の保護機構１０は、係止爪１２ａの係合により搬送ガイド板１５４に固定されているため、搬送ガイド板１５４の回動に連動して回動する。
【００３２】
内殻部１２及び外殻部１１がローラ軸１５１ａの同心円上に配置されていることから、間隙１３は搬送ガイド板１５４の回動中心であるローラ軸１５１ａに対して回転対称を成している。このとき、図５に示すように、搬送ガイド板１５４の、図中矢印Ｃで示す回動に対しては、図４に示す初期位置である同心円上を沿って動くこととなる。したがって、線材１５８は、間隙１３内に対して摺動し、その位置を殆ど変化させることがない。換言すれば、線材１５８は搬送ガイド板１５４の回動に対して実質的に静止した状態が維持されることになる。
【００３３】
これにより、線材１５８は搬送ガイド板１５４の回動動作によって、連動する外殻部１１の端部との接触やストレスの印加の恐れを低減し、内部断線等の不具合を防ぐことができる。
【００３４】
なお、間隙１３の内壁を形成する外殻部１１及び内殻部１２の表面は、線材１５８が滑り易いように滑らかに加工しておくと、間隙１３内における線材１５８の位置をより効果的に保つことができる。又、図６に示すように、外殻部１１の端部１１ａの形状を、円弧より大きく開いて形成することにより、間隙１３を出入りする線材１５８の流れをよりスムースにすることができる。
【００３５】
以上のように、本実施の形態の配線の保護機構１０によれば、内殻部１２によってローラ軸１５１ａと線材１５８との接触を防止するとともに、ジャム処理時等における搬送ガイド板１５４の回動に伴う線材１５８へのストレスの印加の恐れを低減して、線材１５８を確実に保護することが可能となる。
【００３６】
なお、上記の説明においては、内殻部１２及び外殻部１１は、ローラ軸１５１ａの同心円上をなす円弧形状であるとして説明を行ったが、円弧の長さは、半円より長くとも短くともよく、任意であってよい。内殻部１２と外殻部１１とで円弧の長さが異なっていてもよい。
【００３７】
又、上記の説明においては、内殻部１２及び外殻部１１は、ローラ軸１５１ａの同心円上をなす円弧形状であるとして説明を行ったが、本発明はこれに限定されるものではない。例えば、ローラ軸１５１ａと同心円を成さない任意の形状であってよい。
【００３８】
図７は、内殻部１２及び外殻部１１を長円形状とした例である。この場合、間隙１３内に配置された線材１５８は、搬送ガイド板１５４の回動につれて、間隙１３ごと回動方向に移動することとなる。しかしながら、この場合は、配線の保護機構１０全体が、線材１５８を収納したまま回動することとなるため外殻部１１の端部と線材１５８との接触は生じない。又、回動に伴い生ずる線材１５８へのストレスは、図１に示す、フレーム１５３に設けられた収納筒１５３ｂ内に垂れ下がった部分に主に印加されることとなり、間隙１３内の部分には印加されない。したがって断線の可能性は低減される。
【００３９】
次に、配線の保護機構１０内において線材１５８を固定するための別の構成例を、図８に示す。図８に示す構成例においては、内殻部１２及び外殻部１１は、互いに矩形形状を有し、間隙１３内には、千鳥配置された突起１１ｂ及び１２ｂを備えた。この場合、線材１５８は突起１１ｂ及び１２ｂに挟持されることとなり、間隙１３内に確実に固定することができ、搬送ガイド板１５４の回動に対して、配線の保護機構１０全体を、線材１５８を収納したまま状態で確実に回動させることができる。
【００４０】
又、線材１５８を内殻部１２の外面側に固定して、外殻部１１は省略した構成としてもよい。
【００４１】
又、上記の説明においては、用紙搬送装置１はレジストローラ１５１及び１５２を備え、図９に示す画像形成部１３０の上流に設けられるものとしたが、本発明の電線部材の保護機構は、ジャム処理のためのガイド板、及びガイド板に設けられた電気部品を備え、当該電気部品から配線を引き回す必要のある用紙搬送装置であれば、画像形成装置１００内の各部の任意の用紙搬送装置において用いることができる。したがって本発明の搬送ローラはレジストローラに限定されず、任意の用途のローラに適用することができる。同様に、本発明の電気部品はセンサに限定されず、任意の用途の電気部品に適用することができる。
【００４２】
又、用紙搬送装置１のような、本発明の電線部材の保護機構を備えた用紙搬送装置、及び、図９に示す画像形成装置において、本発明の用紙搬送装置を内蔵した構成も、本発明に含まれる。このとき給紙装置１２０及び画像形成部１３０は本発明の給紙部及び画像形成部にそれぞれ相当する。
【産業上の利用可能性】
【００４３】
本発明は、用紙搬送装置内の電線部材を保護することができる効果を有し、電線部材の保護機構、及びそれを用いた用紙搬送装置、画像形成装置において有用である。
【図面の簡単な説明】
【００４４】
【図１】本発明の実施の形態の配線の保護機構１０を備えた用紙搬送装置１の側面図である。
【図２】本発明の実施の形態の配線の保護機構１０を備えた用紙搬送装置１の要部を示す部分透視図である。
【図３】本発明の実施の形態の配線の保護機構１０の構成を示す斜視図である。
【図４】本発明の実施の形態の配線の保護機構１０の作用効果を説明するための図である。
【図５】本発明の実施の形態の配線の保護機構１０の作用効果を説明するための図である。
【図６】本発明の実施の形態の配線の保護機構１０の他の構成例を示す図である。
【図７】本発明の実施の形態の配線の保護機構１０の他の構成例を示す図である。
【図８】本発明の実施の形態の配線の保護機構１０の他の構成例を示す図である。
【図９】画像形成装置１００の構成を模式的に示す図である。
【図１０】用紙搬送装置１５０の要部を模式的に示す側面図である。
【図１１】用紙搬送装置１５０におけるセンサ１５７及び線材１５８のレイアウトを説明するための模式的部分平面図である。
【図１２】用紙搬送装置１５０における線材１５８のレイアウトを説明するための模式的要部拡大図である。
【符号の説明】
【００４５】
１  用紙搬送装置
１０  配線の保護機構
１１  外殻部
１１ａ  端部
１１ｂ  突起
１２  内殻部
１２ａ  係止爪
１２ｂ  突起
１３  間隙
１３ａ  梁部
１５１  レジストローラ
１５１ａ  ローラ軸
１５３  フレーム
１５４  搬送ガイド板
１５４ａ  孔部
１５７  センサ
１５８  線材
【図１】
2010066734.tif 000003
【図２】
2010066734.tif 000004
【図３】
2010066734.tif 000005
【図４】
2010066734.tif 000006
【図５】
2010066734.tif 000007
【図６】
2010066734.tif 000008
【図７】
2010066734.tif 000009
【図８】
2010066734.tif 000010
【図９】
2010066734.tif 000011
【図１０】
2010066734.tif 000012
【図１１】
2010066734.tif 000013
【図１２】
2010066734.tif 000014